(57)【要約】【課題】使用者の下肢が周囲に露呈するのを、より一層抑えることのできる天板昇降式什器を提供する。【解決手段】上下方向に伸縮可能とされ、床面Ｆ上に左右方向で互いに離間して配置された一対の脚体と、一対の脚体に支持された天板２１と、天板２１の後端部２１ｒから下方に向かって延設されるとともに、一対の脚体同士の間で、天板２１の下方空間を前後方向で仕切る上部後幕板２２と、天板２１の左右方向の両端部から下方に向かって延設されるとともに、上後部幕板２２に連結され、少なくとも脚体と上部後幕板２２との間で天板２１の下方空間を左右方向で仕切る上部横幕板２３と、を備える。【選択図】図２
2019083913.tif 000002
【特許請求の範囲】
【請求項１】
上下方向に伸縮可能とされ、床面上に左右方向で互いに離間して配置された一対の脚体と、
一対の前記脚体に支持された天板と、
前記天板の後端部から下方に向かって延設されるとともに、一対の前記脚体同士の間で、前記天板の下方空間を前後方向で仕切る第一上部幕板と、
前記天板における左右方向の少なくとも一方の端部から下方に向かって延設されるとともに、前記第一上部幕板に連結され、少なくとも前記脚体と前記第一上部幕板との間で前記下方空間を左右方向で仕切る第二上部幕板と、を備える天板昇降式什器。
【請求項２】
前記第二上部幕板は、前記天板における左右方向の両端部にそれぞれ設けられている請求項１に記載の天板昇降式什器。
【請求項３】
前記脚体は、
前記天板の下面に固定された筒状の第一脚体と、
前記第一脚体の下端開口部を通じて前記第一脚体の内側に少なくとも上端部が収容され、前記第一脚体に対して上下方向に移動可能な第二脚体と、を備える請求項１又は請求項２に記載の天板昇降式什器。
【請求項４】
前記第二上部幕板は、前記第一脚体を収容する筒状の脚体収容部を有する請求項３に記載の天板昇降式什器。
【請求項５】
前記第一脚体は、前記脚体収容部内に嵌合されている請求項４に記載の天板昇降式什器。
【請求項６】
前記第一上部幕板に対して前後方向に間隔を空けて配置された第一下部幕板と、
前記第一下部幕板に連結されるとともに、前記第二上部幕板に対して左右方向に間隔を空けて配置された第二下部幕板と、を備え、
前記第一上部幕板及び前記第二上部幕板は、前記脚体の伸縮に伴い、前記第一下部幕板及び前記第二下部幕板に対して上下方向に移動可能に構成されている請求項１から請求項５のいずれか一項に記載の天板昇降式什器。
【請求項７】
前記天板が前記脚体の上昇端位置に位置した状態で、前記第一上部幕板及び前記第二上部幕板の下端が、前記第一下部幕板及び前記第二下部幕板の上端よりも下方に位置している請求項６に記載の天板昇降式什器。
【請求項８】
前記第一上部幕板が、前記第一下部幕板に対して前側に配置され、
前記第一下部幕板及び前記第一上部幕板に対して前側には、前記床面側から立ち上がる立ち上がり壁が設けられている請求項６又は請求項７に記載の天板昇降式什器。
【発明の詳細な説明】
【技術分野】
【０００１】
本発明は、天板昇降式什器に関する。
【背景技術】
【０００２】
各種施設（例えば、オフィスや公共施設、医療施設、介護施設等）には、天板を備えた天板付什器（例えば、デスク装置、テーブル装置、カウンター装置等）が設置されている。この種の天板付什器には、使用者の身長や好み、使用用途等に応じ、天板の高さを上下に変更可能とする昇降機能を備えたもの（以下、天板昇降式什器という。）がある。
【０００３】
ところで、天板昇降式什器においては、天板を支持する脚体間に幕板を設けることによって、使用者の下肢が、使用者側とは反対側に露呈しないようにしたものが多く見られている。例えば、特許文献１には、天板の後端部の下側に幕板を備えた構成が開示されている。
【先行技術文献】
【特許文献】
【０００４】
【特許文献１】特開２０１７−８６４４３号公報
【発明の概要】
【発明が解決しようとする課題】
【０００５】
ところで、特許文献１に開示された構成においては、天板の後端部の下側で鉛直面内に位置する幕板を強固に保持するため、天板の下面に設けられたＬ字状のブラケットを介して幕板が固定されている。しかし、幕板は、上端部がブラケットによって固定されているため、例えば幕板の下端部に大きな力が加わった場合、ブラケットが変形等してしまう場合がある。したがって、幕板を、より強固に設ける構成が望まれる場合がある。
また、天板の後端部に幕板を備えても、天板昇降式什器の側方から見ると、使用者の下肢が露呈してしまうという課題がある。
【０００６】
本発明は、幕板をより強固に設けるとともに、使用者の下肢が周囲に露呈するのを、より一層抑えることのできる天板昇降式什器を提供することを目的とする。
【課題を解決するための手段】
【０００７】
上記目的を達成するために、本発明の一態様に係る天板昇降式什器は、上下方向に伸縮可能とされ、床面上に左右方向で互いに離間して配置された一対の脚体と、一対の前記脚体に支持された天板と、前記天板の後端部から下方に向かって延設されるとともに、一対の前記脚体同士の間で、前記天板の下方空間を前後方向で仕切る第一上部幕板と、前記天板における左右方向の少なくとも一方の端部から下方に向かって延設されるとともに、前記第一上部幕板に連結され、少なくとも前記脚体と前記第一上部幕板との間で前記下方空間を左右方向で仕切る第二上部幕板と、を備える。
【０００８】
この構成によれば、天板の下方空間が、一対の脚体同士の間で第一上部幕板により前後方向に仕切られるのに加えて、少なくとも第一上部幕板と脚体との間で第二上部幕板により左右方向で仕切られる。これにより、天板昇降式什器を外部から見たときに、使用者の下肢が露呈しにくくなる。
また、天第一上部幕板と第二上部幕板とが互いに連結されているので、第一上部幕板及び第二上部幕板を天板に強固に設けることができる。
【０００９】
本発明の一態様に係る天板昇降式什器において、前記第二上部幕板は、前記天板における左右方向の両端部にそれぞれ設けられていてもよい。
この構成によれば、第一上部幕板における左右方向の両端部に第二上部幕板がそれぞれ設けられることで、第一上部幕板及び第二上部幕板が平面視コ字状をなす。これにより、第一上部幕板及び第二上部幕板を、より強固に設けることができる。また、使用者の下肢は、より一層露呈しにくくなる。
【００１０】
本発明の一態様に係る天板昇降式什器において、前記脚体は、前記天板の下面に固定された筒状の第一脚体と、前記第一脚体の下端開口部を通じて前記第一脚体の内側に少なくとも上端部が収容され、前記第一脚体に対して上下方向に移動可能な第二脚体と、を備えていてもよい。
この構成によれば、脚体の伸縮時には、第一脚体の内側に収容された第二脚体が、第二脚体に対して移動する。すなわち、脚体を伸縮させても、第一脚体と天板との位置関係は変化しない。したがって、天板を昇降させる場合に、第一脚体と天板との間に、物品等を挟み込むのを抑えることができる。
【００１１】
本発明の一態様に係る天板昇降式什器において、前記第二上部幕板は、前記第一脚体を収容する筒状の脚体収容部を有していてもよい。
この構成によれば、第一脚体が脚体収容部に収容されることで、第一脚体が外部に露呈するのを抑え、天板昇降式什器の外観を向上させることができる。
【００１２】
本発明の一態様に係る天板昇降式什器において、前記第一脚体は、前記脚体収容部内に嵌合されていてもよい。
この構成によれば、第一脚体によって天板や上部幕板をより安定して支持することができる。
【００１３】
本発明の一態様に係る天板昇降式什器において、前記第一上部幕板に対して前後方向に間隔を空けて配置された第一下部幕板と、前記第一下部幕板に連結されるとともに、前記第二上部幕板に対して左右方向に間隔を空けて配置された第二下部幕板と、を備え、前記第一上部幕板及び前記第二上部幕板は、前記脚体の伸縮に伴い、前記第一下部幕板及び前記第二下部幕板に対して上下方向に移動可能に構成されていてもよい。
この構成によれば、天板の後端部の下側には第一上部幕板と第一下部幕板とが設けられ、天板の左右方向の端部の下側には第二上部幕板と第二下部幕板とが設けられる。これにより、天板の下方空間において、幕板の内外を上下方向の広範囲に亘って遮ることができ、使用者の下肢が露呈するのを、より一層抑えることができる。
また、第一上部幕板及び第二上部幕板は、天板の昇降にともなって、第一下部幕板及び第二下部幕板に対して上下方向に相対的に移動する。これにより、天板の高さに関わらず、使用者の下肢が露呈するのを抑えることができる。
【００１４】
本発明の一態様に係る天板昇降式什器において、前記天板が前記脚体の上昇端位置に位置した状態で、前記第一上部幕板及び前記第二上部幕板の下端が、前記第一下部幕板及び前記第二下部幕板の上端よりも下方に位置していてもよい。
この構成によれば、天板が上昇端位置に位置した場合においても、第一上部幕板及び第二上部幕板と、第一下部幕板及び第二下部幕板とが重なり合う。これにより、使用者の下肢が露呈するのを、より確実に抑えることができる。
【００１５】
本発明の一態様に係る天板昇降式什器において、前記第一上部幕板が、前記第一下部幕板に対して前側に配置され、前記第一下部幕板及び前記第一上部幕板に対して前側には、前記床面側から立ち上がる立ち上がり壁が設けられていてもよい。
この構成によれば、天板が下降したときに、天板とともに下降する第一上部幕板の下端と床面との間に物品等が挟まるのを抑えることができる。
また、立ち上がり壁と第一上部幕板及び第一上部幕板との間に、配線等を収容することもできる。
【発明の効果】
【００１６】
本発明の一態様によれば、幕板をより強固に設けるとともに、使用者の下肢が周囲に露呈するのを、より一層抑えることができる。
【図面の簡単な説明】
【００１７】
【図１】本発明の実施形態に係る天板昇降式什器の全体構成を示す斜視図である。
【図２】上記天板昇降式什器を、図１とは異なる方向から見た斜視図である。
【図３】天板を取り外した状態における上記天板昇降式什器の平面図である。
【図４】上記天板昇降式什器の側断面図である。
【図５】天板や下部横幕板等を取り外した状態を示す天板昇降式什器の斜視断面図である。
【図６】天板を上昇端位置まで上昇させたときの上記天板昇降式什器の側断面図である。
【発明を実施するための形態】
【００１８】
以下、添付図面を参照して、本発明による天板昇降式什器を実施するための形態を説明する。しかし、本発明はこの実施形態のみに限定されるものではない。
図１は、本実施形態にかかる天板昇降式什器１の全体構成を示す斜視図である。図２は、天板昇降式什器１を、図１とは異なる方向から見た斜視図である。図３は、天板２１を取り外した状態における天板昇降式什器１の平面図である。
【００１９】
図１〜図３に示すように、天板昇降式什器１は、床面Ｆ上に設置される下部構造体１０と、天板２１を備える上部構造体２０と、上部構造体２０を下部構造体１０に対して上下方向に昇降させる昇降機構３０（図３参照）と、を備える。
本実施形態において、天板２１は、平面視長方形状をなしている。以下の説明において、平面視長方形状の天板２１の長手方向を「左右方向」、天板２１の短手方向を「前後方向」と称することがある。さらに、天板２１の前後方向において、天板２１に対してメインの使用者が位置する側を「前側」、天板２１の前側とは反対側を「後側」とする。
【００２０】
下部構造体１０は、下部後幕板（第一下部幕板）１１と、床面Ｆ上に互いに離間して配置された一対の下部横幕板（第二下部幕板）１２と、を備える。
【００２１】
下部後幕板１１は、天板２１の後端部２１ｒの下方に配置されている。なお、後端部２１ｒとは、天板２１のうち前後方向の中心に対して後側に位置する部分をいう。
【００２２】
下部後幕板１１は、前後方向に直交する面内に沿って配置されている。下部後幕板１１は、一対の下部横幕板１２間を架け渡して、下部横幕板１２同士の間で天板２１の下方空間を前後方向で仕切っている。本実施形態において、下部後幕板１１は、天板２１の後端面２１ｅに対し、前側に所定寸法オフセットした位置に配置されている。但し、下部後幕板１１は、前後方向の位置が天板２１の後端面２１ｅと面一に配置されていてもよい。下部後幕板１１は、床面Ｆに接触していてもよい。また、下部後幕板１１は、木系材料や金属系材料、樹脂系材料等によって形成することができる。
【００２３】
下部横幕板１２は、前後方向の両端部に設けられた設置脚１８（図２参照）を介して床面Ｆ上に設置されている。下部横幕板１２は、天板２１の後端部２１ｒにおける左右方向の両側でそれぞれ隣り合う側端部２１ｓの下方に配置されている。各下部横幕板１２は、左右方向に直交する面内に沿って配置されている。すなわち、各下部横幕板１２は、天板２１の側端部２１ｓに沿って天板２１の短手方向に延びている。
【００２４】
下部横幕板１２は、前部箱状部１３と、外側面部１４と、内側面部１５と、を一体に有している。前部箱状部１３は、天板２１の前端部２１ｆの下方に位置している。なお、前端部２１ｆとは、天板２１のうち前後方向の中心に対して前側に位置する部分をいう。
前部箱状部１３は、左右方向において、外側面部１４と内側面部１５とに跨がる厚さを有している。さらに、前部箱状部１３の前端部には、後側から前側に向かって、左右方向の厚さが漸次小さくなる傾斜面１３ｓが形成されている。
【００２５】
外側面部１４は、前部箱状部１３から連続して後側に延び、下部後幕板１１の左右方向の端部に接合されている。外側面部１４の後端部１４ｒは、下部後幕板１１よりも後側に突出している。外側面部１４の後端部１４ｒは、天板２１の後端面２１ｅよりも前側に位置している。但し、外側面部１４の後端面は、天板２１の後端面２１ｅと面一に配置されていてもよい。
【００２６】
内側面部１５は、外側面部１４に対し、天板２１の長手方向（左右方向）内側に間隔をあけて設けられている。内側面部１５は、前部箱状部１３から連続して後側に延びている。内側面部１５の後端部１５ｒは、下部後幕板１１に対して前後方向に間隔をあけて配置されている。
【００２７】
このような下部横幕板１２は、例えば木系材料や金属系材料、樹脂系材料等によって形成することができる。本実施形態において、下部横幕板１２は、木系材料から形成されている。この場合、下部横幕板１２の下面には、後述する脚体３１を強固に支持するため、前後方向に延びる鋼製のフレーム１６が固定される。
【００２８】
上部構造体２０は、天板２１と、上部後幕板（第一上部幕板）２２と、上部横幕板（第二上部幕板）２３と、を備える。
【００２９】
図４は、天板昇降式什器１の側断面図である。
図４に示すように、上部後幕板２２は、天板２１の後端部２１ｒの下面から下方に向かって垂下して設けられている。上部後幕板２２は、天板２１の下方空間を後述する一対の脚体３１同士の間で前後方向に仕切っている。上部後幕板２２は、下部後幕板１１と平行に配置されるとともに、下部後幕板１１に対して前側に配置されている。下部後幕板１１と上部後幕板２２とは、前後方向に間隔を空けて配置されている。なお、下部後幕板１１及び上部後幕板２２の何れか一方の幕板には、下部構造体１０に対する上部構造体２０の昇降動作時に他方の幕板に摺接する可撓性部材等を設け、可撓性部材によって上述した間隔を閉塞してもよい。
【００３０】
図５は、天板２１や下部横幕板１２等を取り外した状態を示す天板昇降式什器１の斜視断面図である。
図１に示すように、上部横幕板２３は、天板２１の側端部２１ｓの下面から下方に向かって延在している。図５に示すように、上部横幕板２３は、天板２１の下方空間を脚体３１と上部後幕板２２との間で左右方向に仕切っている。上部横幕板２３は、板状部２４と、脚体収容部２５と、を一体に有する。
板状部２４は、脚体３１と上部後幕板２２との間で、左右方向に直交する面内に沿って配置されている。板状部２４の後端部２４ｒは、上部後幕板２２の左右方向の端部に連結されている。
【００３１】
脚体収容部２５は、上下方向に延びる角筒状をなしている。図３に示すように、脚体収容部２５は、天板２１の側端部２１ｓの前後方向の中間部に位置している。脚体収容部２５は、平面視したときに、下部横幕板１２の前部箱状部１３の後方において、外側面部１４と内側面部１５との間に配置されている。
【００３２】
図６は、天板２１を上昇端位置Ｐ１まで上昇させたときの天板昇降式什器１の側断面図である。
図６に示すように、脚体収容部２５は、天板２１を上昇端位置Ｐ１（図６参照）まで上昇させたときにも、その下端部２５ｂが、下部横幕板１２の上面よりも下側に位置するよう設けられている。
【００３３】
昇降機構３０は、脚体３１と、コントローラ３５と、を備える。
脚体３１は、天板２１の左右方向の両端部にそれぞれ設けられている。脚体３１は、天板２１の前後方向の中間部に配置されている。脚体３１は、多段筒状（例えば、三段）に形成されている。本実施形態の脚体３１は、上部脚体（第一脚体）３２と、中間脚体（第二脚体）３３（図６参照）と、下部脚体３４と、を備える。
上部脚体３２は、上下方向に延びる角筒状に形成されている。上部脚体３２は、上述した脚体収容部２５内に収容されている。本実施形態において、上部脚体３２は、脚体収容部２５内に嵌合されている。すなわち、上部脚体３２は、下部横幕板１２に周囲が覆われ、天板昇降式什器１の外部に露呈していない。上部脚体３２の上端部は、天板２１の下面に、ボルト（図示無し）等を介して接合されている。
【００３４】
中間脚体３３は、少なくとも上端部が上部脚体３２の下端開口部を通じて上部脚体３２の内側に収容されている。中間脚体３３は、上部脚体３２の下端開口部からから下方に向かって出没可能とされている。
下部脚体３４は、少なくとも上端部が中間脚体３３の下端開口部を通じて中間脚体３３の内側に収容されている。下部脚体３４の下端部は、下部横幕板１２の内側で上述したフレーム１６に、ブラケット１７を介して支持されている。
【００３５】
脚体３１の内部には、下部脚体３４に対して中間脚体３３及び上部脚体３２を上下方向に昇降させるモータ等の駆動機構が内蔵されている。
【００３６】
コントローラ３５は、例えば天板２１の前端部２１ｆの下面に設けられている。使用者がコントローラ３５を操作することによって、脚体３１の駆動機構が制御され、脚体３１が上下方向に伸縮する。ここで、脚体３１が伸縮するときには、下部脚体３４及び中間脚体３３が上部脚体３２から下方に向かって出没する。
このようにして、脚体３１は、床面Ｆ上に互いに離間して一対が配置され、天板２１は、一対の脚体３１によって昇降可能に支持されている。
【００３７】
図１、図４に示すように、上述した天板昇降式什器１は、天板２１の下方において、後幕板１１，２２に対して前側に位置する部分に、下部後幕板１１と、一対の下部横幕板１２と、上部後幕板２２と、一対の上部横幕板２３とに囲まれた下肢収容空間Ｓ１が形成されている。下肢収容空間Ｓ１は、使用者の下肢を収容可能に構成されている。
【００３８】
また、図２、図４に示すように、天板昇降式什器１は、天板２１の下方において、後幕板１１，２２に対して後側に位置する部分に、下部後幕板１１と、一対の下部横幕板１２（外側面部１４）の後端部１４ｒとによって囲まれた後部収容空間Ｓ２が形成されている。後部収容空間Ｓ２には、天板２１の前側に位置するメインの使用者に対し、天板２１の後側にサブの使用者が対面して位置した場合に、サブ使用者の下肢の一部や、サブの使用者の所持物品等を収容することができる。
【００３９】
このように、本実施形態では、上述した後幕板１１，２２によって、天板２１の下方空間が下肢収容空間Ｓ１と後部収容空間Ｓ２とに区画されている。一方、横幕板１２，２３によって天板２１の下方空間（下肢収容空間Ｓ１及び後部収容空間Ｓ２）が左右方向に区画されている。
【００４０】
天板昇降式什器１は、脚体３１を上下方向に昇降させることで、天板２１の高さが調整可能となっている。
ここで、上部後幕板２２及び上部横幕板２３は、下部後幕板１１及び下部横幕板１２に対し、内側（下肢収容空間Ｓ１側）に設けられている。このため、特に天板２１の下後端位置Ｐ２（図４参照）において、天板昇降式什器１を外側から見た場合、上部後幕板２２及び上部横幕板２３は、下部後幕板１１及び下部横幕板１２の裏側に隠れた状態となる。
一方、上部脚体３２の上昇に伴い、上部後幕板２２及び上部横幕板２３が上昇すると、上部後幕板２２及び上部横幕板２３が、下部後幕板１１及び下部横幕板１２の裏側から露出する。
【００４１】
図６に示すように、天板昇降式什器１において、天板２１を上昇端位置Ｐ１に位置させた状態で、上部後幕板２２及び上部横幕板２３の下端２２ｂ，２３ｂは、下部後幕板１１及び下部横幕板１２の上端１１ｔ，１２ｔよりも下方に位置する。
【００４２】
天板昇降式什器１は、下部後幕板１１に対して前側に、配線収容部４０を備えている。配線収容部４０は、床面Ｆと平行に配置された底板部４１と、底板部４１の前端部から上方に立ち上がる立ち上がり壁４２と、を有している。
図４に示すように、立ち上がり壁４２は、下部後幕板１１及び上部後幕板２２に対し、前側に配置されている。立ち上がり壁４２は、天板２１が下降端位置Ｐ２まで下降した状態で、上部後幕板２２の下端よりも高い位置まで延びている。また、配線収容部４０に対して前側に、配線収容部４０を前側から覆う幕板を別途設けてもよい。
【００４３】
天板昇降式什器１は、上部後幕板２２に対して前側に、配線ガイド５０を備えている。配線ガイド５０は、その上端部が、上部後幕板２２の前面に設けられたブラケット５１に吊り下げられている。配線ガイド５０は、可撓性を有し、天板２１上で使用する機器に接続される各種の配線や、コントローラ３５に接続される配線等が挿通される。配線ガイド５０の下端部は、配線収容部４０内に位置し、配線ガイド５０内に挿通された各種の配線は、配線収容部４０内に収容される。
【００４４】
このように、本実施形態では、天板２１の後端部２１ｒから下方に延設され、一対の脚体３１同士の間の空間を前後方向で閉塞する上部後幕板２２と、天板２１の側端部２１ｓから下方に延設され、上部後幕板２２に連結されるとともに、脚体３１と上部後幕板２２との間の空間を左右方向で閉塞する上部横幕板２３と、を備える構成とした。
このような構成によれば、天板２１の下方空間が、一対の脚体３１同士の間で上部後幕板２２により前後方向に仕切られるのに加え、上部後幕板２２と脚体３１との間で上部横幕板２３により左右方向に仕切られる。これにより、天板昇降式什器１を後側や左右方向の外側から見たときに、下肢収容空間Ｓ１内に位置する使用者の下肢が外部に露呈しにくくなる。
また、上部後幕板２２と上部横幕板２３とが互いに連結されているので、上部後幕板２２及び上部横幕板２３を天板２１に強固に設けることができる。
したがって、幕板２２，２３をより強固に設けるとともに、使用者の下肢が外部に露呈するのを、より一層抑えることが可能となる。
【００４５】
本実施形態では、天板２１の両側端部２１ｓに上部横幕板２３が設けられている構成とした。
このように構成することで、上部後幕板２２の両端部に、上部横幕板２３がそれぞれ連結されることで、上部後幕板２２及び上部横幕板２３が前側に開口する平面視コ字状をなす。これにより、上部後幕板２２及び上部横幕板２３を、より強固に設けることができる。また、下肢収容空間Ｓ１内が上部横幕板２３によって左右両側から覆われるので、使用者の下肢がより一層露呈しにくくなる。
【００４６】
本実施形態では、中間脚体３３及び下部脚体３４が上部脚体３２の下端開口部を通じて、上部脚体３２に対して上下方向に移動可能な構成とした。
このように構成することで、脚体３１の伸縮時には、上部脚体３２内に収容された中間脚体３３及び下部脚体３４が、上部脚体３２の下端開口を通じて上部脚体３２に対して上下方向に移動する。すなわち、脚体３１を伸縮させても、上部脚体３２に対する天板２１の位置関係は変化しない。したがって、天板２１を昇降させる場合に、脚体３１の上部脚体３２と天板２１との間に、物品等を挟み込むのを抑えることができる。
【００４７】
本実施形態では、上部脚体３２が上部横幕板２３の脚体収容部２５内に収容された構成とした。
この構成によれば、脚体３１の上部脚体３２が外部に露呈するのを抑え、天板昇降式什器１の外観を向上させることができる。
【００４８】
本実施形態では、上部脚体３２が脚体収容部２５内に嵌合されている構成とした。
このように構成することで、上部脚体３２によって天板２１や上部横幕板２３をより安定して支持することができる。
【００４９】
本実施形態では、上部後幕板２２に対して前後方向に間隔を空けて配置された下部後幕板１１と、下部後幕板１１に連結されるとともに、上部横幕板２３に対して左右方向に間隔を空けて配置された下部横幕板１２と、を備える。
このように構成することで、天板２１の後端部２１ｒの下側には、上部後幕板２２と下部後幕板１１とが設けられ、天板２１の側端部２１ｓの下側には、上部横幕板２３と下部横幕板１２とが設けられる。これにより、下肢収容空間Ｓ１の内外を天板昇降式什器１の上下方向の広範囲に亘って遮ることができる。これにより、下肢収容空間Ｓ１内に位置する使用者の下肢が露呈するのを、より一層抑えることができる。
しかも、上部後幕板２２及び上部横幕板２３が、天板２１の昇降にともなって、下部後幕板１１及び下部横幕板１２に対して上下方向に相対的に移動する。これにより、天板２１の高さに関わらず、下肢収容空間Ｓ１内に位置する使用者の下肢が露呈するのを抑えることができる。
【００５０】
本実施形態では、天板２１が脚体３１の上昇端位置Ｐ１に位置した状態で、上部後幕板２２及び上部横幕板２３の下端２２ｂ，２３ｂが、下部後幕板１１及び下部横幕板１２の上端１１ｔ，１２ｔよりも下方に位置している。
このように構成することで、天板２１が上昇端位置Ｐ１に位置した場合においても、上部後幕板２２及び上部横幕板２３と、下部後幕板１１及び下部横幕板１２とがそれぞれの板厚方向で重なり合う。これにより、天板２１の高さに関わらず、下肢収容空間Ｓ１内に位置する使用者の下肢が露呈するのを、より確実に抑えることができる。
【００５１】
本実施形態では、下部後幕板１１及び上部後幕板２２に対して前側に、立ち上がり壁４２が設けられている構成とした。
このように構成することで、天板２１が下降したときに、天板２１とともに下降する上部後幕板２２の下端２２ｂと床面Ｆとの間に物品等が挟まるのを抑えることができる。
また、立ち上がり壁４２と上部後幕板２２及び上部後幕板２２との間に、配線等を収容することもできる。
【００５２】
（その他の実施形態）
【００５３】
以上、本発明の好ましい実施例を説明したが、本発明はこれら実施例に限定されることはない。本発明の趣旨を逸脱しない範囲で、構成の付加、省略、置換、及びその他の変更が可能である。本発明は上述した説明によって限定されることはなく、添付の特許請求の範囲によってのみ限定される。
例えば、上述した実施形態では、下部横幕板１２が前部箱状部１３、外側面部１４及び内側面部１５を備える構成としたが、これに限らず、いかなる構成としてもよい。
上述した実施形態では、上部横幕板２３を、脚体３１と上部後幕板２２との間の空間を閉塞するようにしたが、これに加え、上部横幕板２３の前端部を、下部横幕板１２の前端部と同様の位置まで前方に伸ばしてもよい。また、上部横幕板２３の後端部についても、下部横幕板１２の後端部１４ｒと同様の位置まで前方に伸ばしてもよい。
上述した実施形態では、上部後幕板２２の両端部に、上部横幕板２３がそれぞれ設けられ、上部後幕板２２及び上部横幕板２３によって平面視コ字状をなすようにしたが、これに限らない。上部横幕板２３を、上部後幕板２２の左右方向の一方の側のみに設けるようにしてもよい。
【００５４】
上述した実施形態では、上部後幕板２２及び上部横幕板２３が下部後幕板１１及び下部横幕板１２の内側に配置された構成について説明したが、これとは逆に下部後幕板１１及び下部横幕板１２の外側に上部後幕板２２及び上部横幕板２３が配置されていてもよい。
上述した実施形態では、天板２１に設けられた上部脚体３２内に、下部脚体３４が収容された構成について説明したが、これに限らない。下部脚体の内側に上部脚体が収容された構成であってもよい。このような構成とする場合であっても、脚体を脚体収容部２５に収容すれば、脚体が外部に露呈するのを抑えることができる。
【００５５】
その他、本発明の趣旨を逸脱しない範囲で、上述した実施形態における構成要素を周知の構成要素に置き換えることは適宜可能であり、また、上述した各変形例を適宜組み合わせてもよい。
【符号の説明】
【００５６】
１  天板昇降式什器
１１  下部後幕板（第一下部幕板）
１１ｂ、１２ｂ  下端
１２  下部横幕板（第二下部幕板）
２０  上部構造体
２１  天板
２１ｅ  後端面
２１ｆ  前端部
２１ｒ  後端部
２１ｓ  側端部
２２  上部後幕板（第一上部幕板）
２２ｔ、２３ｔ  上端
２３  上部横幕板（第二上部幕板）
２５  脚体収容部
３０  昇降機構
３１  脚体
３２  上部脚体（第一脚体）
３２ｈ  収容凹部
３３  中間脚体（第二脚体）
４２  立ち上がり壁
Ｆ  床面
Ｐ１  上昇端位置
Ｐ２  最下降端位置
Ｓ１  下肢収容空間
Ｓ２  後部収容空間
【図１】
2019083913.tif 000003
【図２】
2019083913.tif 000004
【図３】
2019083913.tif 000005
【図４】
2019083913.tif 000006
【図５】
2019083913.tif 000007
【図６】
2019083913.tif 000008